(57)【要約】【課題】アームレストを上下に移動させる機構を備えたシートにおいても、アームレストの自動起立動作が行い得る機構が適用できるようにする。【解決手段】アームレスト２がシート背当部１０に対して、上下方向に移動自在な移動機構を備えた建設機械のシート１において、アームレスト２とシート背当部１０とを、直接または間接的にリンク体６で連結し、シート背当部１０を前傾させた際、アームレスト２を起立させるように傾動させるリンク機構を備えさせるとともに、リンク体６の連結部（連結軸６０，６１周辺）の位置を、アームレスト２の移動動作位置に応じて、変更自在に形成させた。【選択図】　　　　図１
2004041342.tif 000002
【特許請求の範囲】
【請求項１】
傾動自在なアームレストが、傾動自在なシート背当部に対して、上下方向に移動自在な移動機構を備えた建設機械のシートにおいて、
前記アームレストと前記シート背当部とを、直接または間接的にリンク体で連結し、シート背当部を前傾させた際、アームレストを起立させるように傾動させるリンク機構を備えさせるとともに、
前記リンク体の連結部の位置を、アームレストの移動動作位置に応じて、変更自在に形成させたことを特徴とする建設機械のシート。
【請求項２】
リンク体の連結部の位置変更機構として、リンク体の連結軸用挿通孔を、上下方向に沿った長穴に形成させ、アームレストをその移動機構によって上下方向に移動させた際、前記長穴を介して、リンク体と連結軸とが相互にスライド自在となる機構を用いたことを特徴とする建設機械のシート。
【発明の詳細な説明】
【０００１】
【発明の属する技術分野】
この発明は、建設機械のキャブ内に配置されるシートに関する。
【０００２】
【従来の技術】
図７は建設機械のキャブ内のシートを示している。図示のようにシート１は、背当部１０が傾動自在なリクライニング機構を備えている。また、背当部１０の側方には、アームレスト２が傾動自在に備えられ、不要のときは手動で起立させるものとなっている。そして、座部１１の側方であって、前記アームレスト２の下方には、操作パネル３０やレバー３１が備えられるコンソール３が配置されている。
【０００３】
アームレスト２を傾倒させておいた場合、シート背当部１０を傾倒させる際、ついアームレスト２を起立させないことが多い。そうすると、図示上仮想線で示すように、アームスト２の先端がコンソール３にぶつかってしまい、コンソール３を破損してしまう事故や、操作パネル３０やレバー３１に触れてしまって誤動作が起こるといった問題があった。
【０００４】
このため、実開平５−４０３５８号や実開平５−４０３５７号において、リンク機構を用いてシート背当部１０を前傾させても、アームレスト２がコンソール３にぶつからないような技術が提案され、そして、その技術をさらに改良した機構を本発明者らも特願２００２−１７８１７６として提案している。これら技術を図４乃至図６において示す。図５が実開平５−４０３５８号、図６が実開平５−４０３５７号、図４が特願２００２−１７８１７６であるが、図示のように、これらは基本的に、アームレスト２と、シート背当部１０とを、直接又は間接的に、ピン等の固定手段を介して、リンク棒４’、６やワイヤ４等のリンク体で連結して、リンク体の連結軸４０，４１，６０，６１と、アームレスト基軸部２０、シート背当部基軸部４０とで四節リンク機構を形成し、そのリンク機構の連動動作により、シート背当部１０を前傾させた際、アームレスト２を起立させるように傾動させるものである（このような動作が行われる機構を本願ではアームレスト自動起立リンク機構ともいう）。もっとも、図５の構造では、アームレスト２を手動で起立させることができず、また図６の構造では、手動で起立させた際、撓んだワイヤ４が後方に突出してしまうという問題があったが、本発明者らが提案した図４に示す機構では、リンク棒６にアームレスト２を直接連結せず、別部材の回転体５（ブラケット５１）に連結して、その回転体５による下方からの押し上げによってアームレスト２を起立させるものとなっているので、手動によるアームレスト２の起立動作も可能となるとともに、ワイヤ４のような突出部材もなく、いずれの問題も解決できるものとなっている（より詳しくは、実施形態例において説明する）。
【０００５】
【発明が解決しようとする課題】
ところで、建設機械を操作するオペレータの体格は様々であり、アームレスト２の適正高さも体格によって変動する。このため、アームレスト２の高さ位置が調整できる上下可動機構を備えたシート１も汎用されている。
【０００６】
一方、アームレスト２を自動的に起立させるリンク機構を備えた図４乃至図６の構造では、リンク体との連結によって、アームレスト２とシート１本体との位置が固定されてしまい、アームレスト２を上下に移動させることができない。すなわち、換言すれば、アームレスト２の高さ位置が調整できるシート１においては、アームレスト２を自動的に起立させる機構が採用され得ないため、アームレスト２の起立動作を怠ってシート背当部１０を前傾させた際、アームレスト２先端がコンソール３に衝突してしまうという問題を依然として防げなかった。
【０００７】
この発明は、従来技術の以上のような問題に鑑み創案されたもので、アームレストを上下に移動させる機構を備えたシートにおいても、アームレストの自動起立動作が行い得る機構が適用できる技術を提供しようとするものである。
【０００８】
【課題を解決しようとする手段】
このため、この発明に係る建設機械のシートは、傾動自在なアームレストが、傾動自在なシート背当部に対して、上下方向に移動自在な移動機構を備えた建設機械のシートにおいて、前記アームレストと前記シート背当部とを、直接または間接的にリンク体で連結し、シート背当部を前傾させた際、アームレストを起立させるように傾動させるリンク機構を備えさせるとともに、前記リンク体の連結部の位置を、アームレストの移動動作位置に応じて、変更自在に形成させたことを特徴とする。
【０００９】
ここで、前記アームレストと前記シート背当部とを間接的にリンク体で連結するとは、例えば本発明者らが提案した特願２００２−１７８１７６のように、リンク体と直接連結されるのは、アームレストではない他の部材（この例では回転体）であるものの、その連結された部材がリンク体の動作をアームレストに伝えるような形態をいう。このような形態は、アームレストとシート背当部とが直接連結されないが、リンク体に連結される部材によって、結果として、アームレストとシート背当部とが直接連結されるリンク機構（例えば図５や図６）の動作とまったく同じ動作が行われるものであり、リンク動作が行われる際は、連結部材とアームレストが一体となって動作することから、そのような形態について、アームレストとシート背当部とが間接的に連結されているというものとした。
【００１０】
また、前記リンク体に連結される部材としては、アームレスト以外に、シート本体もあり、このため、リンク体とシート本体とが間接的に連結される態様も本発明の態様に含まれるものである。
【００１１】
アームレストの自動起立リンク機構においては、リンク体を介した連結によって、アームレストとシート背当部とが直接または間接的に固定される。すなわち、リンク体の連結軸の位置が固定されると、アームレストの移動が制限されてしまう。そこで、本発明では、リンク体の連結部の位置を、アームレストの移動動作に応じて、変更自在に形成させたことにより、自動起立リンク機構を備えたアームレストであっても、上下に移動させることができるものとなる。
【００１２】
リンク体の連結部の位置変更機構としては、連結軸用挿通穴を上下方向に複数穿設し、アームレストを移動させた際その移動動作位置に応じた挿通穴において連結軸を挿通する機構や、後述する形態例のように、リンク体の連結軸用挿通孔を、上下方向に沿った長穴に形成させ、アームレストを上下方向に移動させた際、前記長穴を介して、リンク体と連結軸とが相互にスライド自在となる機構を用いても良い。
【００１３】
【発明の実施の形態】
本発明の具体的実施形態例を図面に基づき説明する。なお、以下の形態例はあくまで一例であり、本発明が本形態例に限定されるものでないことは当然である。
【００１４】
本形態例のシート１は、前提として、アームレスト２がシート背当部１０に対して上下方向に移動自在な移動機構と、アームレスト２がシート背当部１０の傾動動作に連動して自立起動するリンク機構とを備えている。
【００１５】
まず、それら前提機構のアームレスト２の上下移動機構について説明する。図２に示すように、アームレスト２の基端軸２０がブラケット２２に取り付けられ、そのブラケット２２に長穴２３が形成されるとともに、シート背当部１０の側面部に、ボルト固着穴１４が上下２箇所穿設された金具１３が取り付けられており、前記ブラケット２２の長穴２３位置とその金具１３のボルト固着穴１４位置とを合わせながら、ブラケット長穴２３の上からボルト１５を螺着していくことで、アームレスト２はシート背当部１０に傾動自在に固定されるが、その長穴２３が上下に長く延びていることから、その長穴２３の範囲でアームレスト２の位置は上下に移動可能となる。なお、この移動機構は一例であり、例えば図３に示すように、前記ブラケット２２’を下方に延伸させ、そのブラケット２２’を覆いながら相互に摺動自在となるケース２３をシート背当部１０に設置するともに、ブラケット２２’延伸部の前方側に係合溝２４を上下に形成させ、その対向側に、係合溝２４に係合する突起２６が形成されたロックプレート２５を配置させ、そのロックプレート２５をバネ２７で押圧することでアームレスト２を固定する構造で、バネ２７に抗してロックプレート２５の係合状態を外し、アームレスト２の固定を解除しながら、ブラケット２２’延伸部の溝２４を上下にずらして、両者を係合させることで、アームレスト２を上下方向に移動自在に固定できる機構でも良い。
【００１６】
次に、アームレストの自動起立リンク機構について説明する。これは上述したように、実開平５−４０３５８号や実開平５−４０３５７号の公知技術でも良いが、本形態例では、特願２００２−１７８１７６において提案した図４に示す機構を用いている。すなわち、シート背当部１０は基端軸１２を中心として傾動自在となっており、そのシート背当部１０の両側に配置されるアームレスト２も基端軸２０を中心に傾動自在となっている。前記アームレスト２の内方において、アームレスト基端軸２０には、前方側に係止爪５０、後方側にブラケット５１がそれぞれ延出して形成される円筒状回転体５が遊転自在に嵌挿され、基端軸２０を中心に回転自在となっている。アームレスト２の内面部のうち、基端軸２０より前方の箇所に、前記係止爪５０の上面に係止されるピン２１が形成される。また、シート１本体のうち前記基端軸１２の後方と、前記回転体５のブラケット５１先端とは、リンク棒６によってピン連結される（連結軸６０，６１）。本形態例では、以上の構造により、回転体５のブラケット５１先端及びシート１本体後方とリンク棒６との各連結軸６０，６１と、アームレスト２及びシート背当部１０の各基端軸２０，１２とで四節リンク機構が形成されており、このため同図（ｄ）に示すように、シート背当部１０を前傾させると、リンク棒６が連動して前傾し、これによりリンク棒６の前傾側連結部（ブラケット側連結軸６０周辺）も下方に下がって、回転体５が基端軸２０を中心として回転することになる。この回転により、他方側の係止爪５０が上方に上がっていき、アームレスト２内面部のピン２１に当接すると同時に上に押し上げる。これによって、アームレスト２はシート背当部１０の前傾動作と同時に自動的に跳ね上げられることになる一方、前記リンク棒６がアームレスト２自体に連結されておらず、またアームレスト２を押し上げる回転体５の係止爪５０がピン２１の下方側に位置しているので、アームレスト２はそれ単体で上方に傾動させることができる。すなわち手動で跳ね上げることもできる。
【００１７】
このようなアームレスト２の自動起立リンク機構において、本形態例では、図１に示すように、前記リンク棒６の連結軸６０，６１のいずれにおいても、ピン孔が上下方向に沿った長穴６２に形成され、その長穴６２の前方縁側には上下にわたって三段の横溝６３が形成されている（図１（ｂ）では横溝６３を省略）。なお、図１（ｂ）及び（ｃ）上は、ブラケット５１側の連結部（連結軸６０周辺）のみ示すが、シート側連結部（連結軸６１周辺）も同様の構造である。ブラケット側連結部では、連結軸６０が、ブラケット５１のピン孔５２にナット５３で締着された状態で長穴６２に沿ってスライド自在となるが、シート側連結部では、連結軸６１がシート１に固定されるため、リンク棒６がその長穴（図示なし）に沿って連結軸６１に対してスライド自在となる。そして、いずれの連結軸６０，６１も、アームレスト２の移動位置に対応する、上下三段のいずれかの横溝６３にずらされた後、それらピン６０ａ，６１ｂ頭部を押さえる溝６５が形成された固定用プレート６４を、リンク棒６外面にボルト６６で締着することで、その締着位置が固定される（図１（ｂ）ではボルト穴省略）。
【００１８】
次に、アームレスト２の上下移動動作を図１及び図２に基づいて説明する。アームレスト２を固定するボルト１５を金具１３から外すとともに、連結軸６０，６１を固定する固定用プレート６４を外し、連結軸６０，６１を横溝６３から後方にずらす。そして、アームレスト２の位置を、そのブラケット２２の長穴２３の範囲内から、シート１側のボルト固着穴１４がはみ出ない範囲で上下にずらし、所望の位置まで移動させる。このとき、アームレスト２の基端軸２０も上下に移動し、その基端軸２０に嵌挿される円筒状回転体５も同じく移動するが、そのブラケット５１に締着された連結軸６０はリンク棒６の長穴６２に沿って上下にスライド自在であり、さらにシート１に締着された連結軸６１に対してリンク棒６はその長穴（図示なし）に沿って相対的にスライド自在となるので、アームレスト２がどの位置に移動しても、リンク棒６とアームレスト２及びシート１の連結状態は維持されることになり、四節リンク機構が形成された状態はそのままとなって、その結果、リンク機構による連動動作は移動前と同じとなる。その後、アームレスト２を移動した位置において、ブラケット２２長穴２３からボルト１５を金具１３のボルト固着穴１４に螺着するとともに、両連結軸６０，６１をリンク棒６の長穴６２の横溝６３にずらし、前記固定用プレート６４をボルト６６で螺着すれば、所望の位置における固定動作が完了する。
【００１９】
以上のように、本形態例によれば、アームレスト２を上下に移動させても、その移動位置においてアームレスト２の自動起立リンク動作が行われるものとなっている。
【００２０】
なお、本形態例においては、アームレスト２の自動起立リンク機構を特願２００２−１７８１７６において提案したものを用いたが、それに代えて、実開平５−４０３５８号や実開平５−４０３５７号の機構を用いたとしても、リンク棒６に相当するリンク体の連結部に長穴を形成させれば、同様の効果が得られるものである。また、前記長穴６２の形成箇所は、いずれかの連結部のみとしても良い。
【００２１】
【発明の効果】
以上説明したように、この発明によれば、アームレストを上下に移動させる機構を備えたシートにおいても、アームレストの自動起立動作が行い得る機構が適用できるものとなっている。
【図面の簡単な説明】
【図１】本発明が適用された一形態例の説明図であり、（ａ）はシートの概要図、（ｂ）はブラケット側連結部の拡大図（ただし、横溝とボルト穴は省略）、（ｃ）はリンク棒に形成される長穴と固定具の説明図、（ｄ）は固定具の説明図である。
【図２】アームレストの上下機移動機構の一例を示す説明図である。
【図３】アームレストの上下機移動機構の他の例を示す説明図であり、（ａ）は全体の概要図、（ｂ）は固定部の説明図である。
【図４】本発明者が特願２００２−１７８１７６において別途提案したアームレストの自動起立リンク機構の説明図であり、（ａ）はアームレスト及びその基端軸周囲の構造をシートの内側から見た状態図、（ｂ）は（ａ）の平面図、（ｃ）はシート全体の側面図である。
【図５】実開平５−４０３５８号において提案されるシートの側面図である。
【図６】実開平５−４０３５７号において提案されるシートの側面図である。
【図７】建設機械の一般的なシートの側面図である。
【符号の説明】
１　　　　シート
２　　　　アームレスト
３　　　　コンソール
５　　　　回転体
６　　　　リンク棒
【図１】
2004041342.tif 000003
【図２】
2004041342.tif 000004
【図３】
2004041342.tif 000005
【図４】
2004041342.tif 000006
【図５】
2004041342.tif 000007
【図６】
2004041342.tif 000008
【図７】
2004041342.tif 000009